(57)【特許請求の範囲】
【請求項１】
電子写真装置における定着装置筐体を第一筐体と第二筐体の２つに分割可能に構成し、分割した際の前記第一筐体の開放面上に温度管理用センサを着脱自在に位置固定するためのリブを設けて前記温度管理用センサが定着装置の加熱定着用ローラと相対して位置固定され、前記第一筐体に前記加熱定着用ローラ対を収容すると共に前記リブを設けたことを特徴とする電子写真装置における定着装置。
【請求項２】
電子写真装置における定着装置筐体を第一筐体と第二筐体の２つに分割可能に構成し、分割した際の前記第一筐体の開放面上に温度管理用センサを着脱自在に位置固定するためのリブを設けて前記温度管理用センサが定着装置の加熱定着用ローラと相対して位置固定され、前記定着装置筐体の第一筐体と第二筐体を、加熱定着用ローラ軸と略平行でかつ記録紙搬送方向に対して略直角方向に分割して構成したことを特徴とする電子写真装置における定着装置。
【請求項３】
電子写真装置における定着装置筐体を第一筐体と第二筐体の２つに分割可能に構成し、該第一筐体に定着装置の加熱定着用ローラが収納され、分割した際の前記第一筐体の開放面上に前記加熱定着用ローラからの熱遮蔽面をリブ状に立設し、該立設したリブに温度管理用センサを取り付けると共にその背面側に温度管理用センサへの接続線を延在させたことを特徴とする電子写真装置における定着装置。
【請求項４】
前記第一筐体に加熱定着用ローラ対を収容すると共に前記リブを設けたことを特徴とする請求項３に記載した電子写真装置における定着装置。
【請求項５】
前記定着装置筐体の第一筐体と第二筐体を、加熱定着用ローラ軸と略平行でかつ記録紙搬送方向に対して略直角方向に分割して構成したことを特徴とする請求項３に記載した電子写真装置における定着装置。
【請求項６】
前記リブで位置固定した温度管理用センサを第二筐体で抜け止めして位置固定することを特徴とする請求項１乃至５のいずれかに記載した電子写真装置における定着装置。
【請求項７】
前記温度管理用センサを、角部が面取りされた四角形状の固定具に取り付け、該固定具を前記リブで位置決めすることを特徴とする請求項１乃至５のいずれかに記載した電子写真装置における定着装置。
【請求項８】
前記リブをガイド空間を有する複数のリブで構成し、該リブのガイド空間で温度管理用センサ側の位置規制面を保持することを特徴とする請求項１乃至５のいずれかに記載した電子写真装置における定着装置。
【請求項９】
前記温度管理用センサはこれを保持する貫通孔を設けたハウジングを有し、前記第一筐体の温度管理用センサ位置固定用リブにハウジングの貫通孔に係合する突起部を設けると共に前記第二筐体にハウジングの貫通孔に係合する突起部を設け、前記ハウジングの貫通孔を第一筐体側リブの突起に係合させて位置決めすると共に前記第二筐体に設けた突起部をハウジングの貫通孔に係合させて前記温度管理用センサを固定することを特徴とする請求項１乃至５のいずれかに記載した電子写真装置における定着装置。
【請求項１０】
前記リブは、第二筐体の移動方向と同一延長線上に形成されていることを特徴とする請求項１乃至５のいずれかに記載した電子写真装置における定着装置。
【発明の詳細な説明】
【０００１】
【発明の属する技術分野】
本発明は、電子写真方式を用いた複写機、プリンタ及びファクシミリ装置等における定着装置に関し、更に詳細には、定着装置を構成する加熱定着用ローラの温度検出センサや過熱防止用サーモスタット等の温度管理用センサの取り付け構造に関するものである。
【０００２】
【従来の技術】
電子写真装置における定着装置のうち、ヒータを内蔵した加熱定着用ローラを用いたものは、加熱定着用ローラ表面の温度が常時一定温度となるよう発熱体をコントロールするために温度検出用サーミスタなどのセンサや、加熱定着用ローラのオーバーヒートを防止するため発熱体の通電路を遮断するサーモスタットなどのセンサが設けられている。そしてこれら温度管理用センサのうちサーミスタは、温度特性を最良にするため加熱定着用ローラに微圧接触する必要があり、またサーモスタットは、加熱定着用ローラ表面を傷つけず、かつ、加熱定着用ローラからの輻射熱を受けやすく設置する必要がある。そのため、従来よりこれらサーミスタやサーモスタット等の温度管理用センサの様々な取り付け構造が提案されている。
【０００３】
例えば実開平１−７３８６５公報には、定着ユニットの支持部材である底板にバネ部材でサーミスタを取り付けた構成が示され、また特許２９６８３４５号公報には、加熱定着用ローラを覆うカバーに取り付け孔を設け、カバーの外側よりサーミスタをこの取り付け孔に挿入してカバーでサーミスタを支持し、リード線をカバー外に位置する温度制御部に接続する構成が示されている。
【０００４】
また実開平６−３７８５５号公報には、サーモスタットが加熱定着用ローラから一定距離を置いて設置できるようサーモスタットを固定する支持部材を設けた構成が示され、さらに特願平１１−１６８２２７号には、樹脂製の支持部材に金属性のサーモスタット固定具を挿入し、この固定具にサーモスタットを固定して支持部材を加熱定着用ローラから所定距離だけ離して設置する構成が提案されている。
【０００５】
【発明が解決しようとする課題】
しかしながら、これら各公報、または特願に示された構成は、いずれもサーミスタやサーモスタットなどの温度管理用センサを保持する支持部材を必要とするため部品点数が多く、また、取り付けに際して接触面が確認できない、設置場所に制約がある、などの問題がある。すなわち実開平１−７３８６５公報に示された装置は、定着ユニットの支持部材である底板にバネ部材でサーミスタを取り付けているため、加熱定着用ローラとの接触状態が確認できないと共に交換や清掃などの場合はカバーを外す必要がある。又、特許２９６８３４５号公報のものは、カバーの外側よりサーミスタを取り付け孔に挿入する為、交換は容易であるが加熱定着用ローラに確実に接触しているかどうかの確認ができない。
【０００６】
さらに実開平６−３７８５５号公報に示されたものは、サーモスタットを固定する支持部材を要すると共にカバー内部にこの支持部材を設置せねばならず、交換や清掃などの場合はカバーを外す必要があり、特願平１１−１６８２２７号のものはサーモスタットの特別な保持部材を必要とする。またこれら公報に示された装置は、いずれも温度管理用センサの接続線がカバーの外側にある為これを保持する部材を必要とし、コスト高となる問題もあった。
【０００７】
上述の事情に鑑み本発明は、特別な保持部材等を用いずに温度管理用センサを精度良く簡単に固定できるようにし、部品点数の削減によるコスト低減を行うと共に作業性を改善し、併せて取り付け状態の確認や温度管理用センサへの接続線の処理も行える温度管理用センサの取り付け構造を有した電子写真装置における定着装置を提供することを目的とする。
【０００８】
【課題を解決するための手段】
上記課題を解決するため本発明においては、定着装置の筐体を、加熱定着用ローラ軸と略平行でかつ記録紙搬送方向に対して略直角の方向に第一筐体とこの第一筐体と結合する第二筐体との２つに分割可能とし、加熱定着用ローラと加圧ローラで構成される加熱ローラ対を第一筐体に収容すると共に、第一筐体の開放面上に温度管理用センサ位置決め用のリブを設け、リブと第二筐体でサーモスタット及びサーミスタなどの温度管理用センサを位置固定するようにし、あわせてこのリブに熱遮蔽面を設け、その背面側に温度管理用センサの接続線を延在させるようにした。
【０００９】
こうすることで、特別な固定用部材を用いることなく温度管理用センサと接続線を固定でき、かつ温度管理用センサは第一筐体の開放面上に取り付けできるため、加熱定着用ローラとの関係が確認でき、精度良く取り付けることができると共に汚れなどが生じても簡単に掃除できる。また特別な固定用部材を用いないことと開放面上へ取り付けられることにより、組み立て作業は非常に簡単にできるとともに低コストの定着装置を提供できる。
【００１０】
そのため本発明においては、電子写真装置における定着装置筐体を第一筐体と第二筐体の２つに分割可能に構成し、分割した際の前記第一筐体の開放面上に前記温度管理用センサを着脱自在に位置固定するためのリブを設けて前記温度管理用センサが定着装置の加熱定着用ローラと相対して位置固定されることを特徴とし、この際、前記第一筐体に前記加熱定着用ローラ対を収容すると共に前記リブが設けられる。また、前記定着装置筐体の第一筐体と第二筐体を、加熱定着用ローラ軸と略平行でかつ記録紙搬送方向に対して略直角方向に分割して構成するようにしてもよい。
【００１１】
このように、温度管理用センサが定着装置の加熱定着用ローラと相対して位置固定されるから、リブが第一筐体の開放面上に設けられていることと相まって、温度管理用センサの取り付けに際して加熱定着用ローラとの関係を確認しながら精度良く取り付けることができ、部品点数が少なく安価で、しかも組み立て作業が簡単な定着装置を提供できる。そして、第一筐体に加熱定着用ローラと温度管理用センサを取り付けることで、温度管理用センサの取り付けに際して加熱定着用ローラとの関係を確認しながら精度良く取り付けることができ、部品点数が少なく安価で、しかも組み立て作業が簡単な定着装置を提供できる。また、定着装置筐体の第一筐体と第二筐体を、加熱定着用ローラ軸と略平行でかつ記録紙搬送方向に対して略直角方向に分割して構成したから、加熱定着用ローラは２つに分割した筐体の開放面側に収容することができ、前記したように温度管理用センサの取り付けに際して加熱定着用ローラとの関係を確認しながら精度良く取り付けることができるという効果が得られる。
【００１２】
そして、これら温度管理用センサへの接続線は、電子写真装置における定着装置筐体を第一筐体と第二筐体の２つに分割可能に構成し、該第一筐体に定着装置の加熱定着用ローラが収納され、分割した際の前記第一筐体の開放面上に定着装置の加熱定着用ローラからの熱遮蔽面をリブ状に立設し、該立設したリブに温度管理用センサを取り付けると共にその背面側に温度管理用センサへの接続線を延在させたことを特徴とする。
【００１３】
このようにすることで、温度管理用センサへの接続線は熱遮蔽面としたリブで守られる上に特別な保持部材を用いずとも固定することができ、前記したように作業性を改善した安価で見栄えの良い定着装置を提供することができる。
【００１８】
そして温度管理用センサの固定は、前記温度管理用センサを、角部が面取りされた四角形状の固定具に取り付け、該固定具を前記リブで位置決めすることを特徴とする。
【００１９】
このように、温度管理用センサ固定に四角形状の固定具を用いることで、位置決め用のリブ、及び第二筐体で温度管理用センサを確実に保持、固定することができる。
【００２０】
また温度管理用センサの固定は、前記リブをガイド空間を有する複数のリブで構成し、該リブのガイド空間で温度管理用センサ側の位置規制面を保持することを特徴とする。
【００２１】
このようにすることにより、前記した四角形状の固定具を用いることなく温度管理用センサを固定することができ、より少ない部品数での固定が可能となる。
【００２２】
さらに温度管理用センサの固定において、前記温度管理用センサはこれを保持する貫通孔を設けたハウジングを有し、前記第一筐体の温度管理用センサ位置固定用リブにハウジングの貫通孔に係合する突起部を設けると共に前記第二筐体にハウジングの貫通孔に係合する突起部を設け、前記ハウジングの貫通孔を第一筐体側リブの突起に係合させて位置決めすると共に前記第二筐体に設けた突起部をハウジングの貫通孔に係合させて前記温度管理用センサを固定すること、及び、第二筐体の移動方向と同一延長線上に形成されていることも本発明の有効な手段である。
【００２３】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２４】
図１は、本発明における定着装置を分割して示した実施例の斜視図、図２は本発明の図１における定着装置の第一筐体１、第二筐体２を組み立てた斜視図、図３はサーモスタットなどの温度管理用センサを組み込んだ説明図、図４はサーモスタットユニットの一例を示した図、図５はサーモスタットの固定方法の説明図、図６はサーモスタット取り付け構造の他の実施例、図７はサーミスタなどの温度管理用センサの取り付け方法の説明図、図８はサーミスタ取り付け方法にかかわる他の実施例の説明図、図９は本発明の定着装置を有する電子写真装置の一構成例である。
【００２５】
図中１は、加熱定着用ローラ３と加圧ローラ４などの加熱定着用ローラ対を収容した第一筐体、２はこれら加熱定着用ローラ３と加圧ローラ４をカバーするための第二筐体、３は加熱定着用ローラ、４は加圧ローラ、５はヒータ、６は加熱定着用ローラ３を支持するハウジングを構成する前フレーム、７は同じく加熱定着用ローラ３を支持するハウジングを構成する後フレーム、８は定着された記録紙を加熱定着用ローラ３から分離する分離爪、９は駆動ギア、１０はコネクタ、１１は記録紙の搬送路、１２はサーモスタットなどの温度管理用センサ、１３はヒータへの接続線、１４はコネクタへの接続線、１５は固定具、１６はビス、１７はサーミスタなどの温度管理用センサ、１８はビス、１９はサーミスタなどの温度管理用センサへの接続線、２０は熱遮蔽面、２１はサーミスタなどの温度管理用センサの取り付け用角穴、２２は温度管理用センサ取り付け台である。
【００２６】
本発明における定着装置筐体は、ＰＥＴ、ＰＢＴ等からなる耐熱性樹脂を用い、図１に示したように、記録紙搬送方向に対して略直角方向にローラ対を収容した第一筐体１と第二筐体２とに分割可能に構成され、この第一筐体１に第二筐体２を図２のように組み込むことで定着装置となる構成である。そして一方の第一筐体１に、加熱定着用ローラ３、加圧ローラ４、これら加熱定着用ローラ３と加圧ローラ４のローラ対を支持するハウジングを構成する前フレーム６と後フレーム７、ハウジングの一部を構成し、加圧ローラ４を支持して加熱定着用ローラ３に圧接するための加圧レバーなどからなる定着ローラユニットが装着され、記録紙は第１筐体１に収容された加熱定着用ローラ３、加圧ローラ４のニップ部を通って第２筐体２の記録紙搬送路１１方向に送り出される。
【００２７】
図９は、本発明の定着装置を装着した電子写真装置の断面図であり、図のように略垂直搬送路上に画像形成部を配置し、上部に排紙部とストック部、下部に給紙装置、略垂直搬送路の画像形成部に対向する側面カバー近傍に両面搬送路を構成してある。図中３０は電子写真装置、３１は給紙装置、３２は給紙ローラ、３３はレジストローラ対、３４は転写ローラ、３５は感光体および帯電器等の周辺器を含む画像形成手段、３６はレーザユニット、３７は定着装置、３８は第１排出分岐手段、３９は第２排出分岐手段、４０は排紙ローラ対、４１はスタック部、４２は両面搬送路である。
【００２８】
記録紙が給紙装置３１から給紙ローラ部３２によりレジストローラ対３３へ送られ、記録紙に印字すべく画像形成手段３５と転写ローラ３４との間に送られる。そして、定着装置３７にて記録紙上のトナーが固着され、第１排出分岐手段３８、第２排出分岐手段３９を経て排紙ローラ対４０から通常の排紙が行われ、画像形成装置３０の上面であるスタック部４１へストックされる。両面時は、排紙ローラ対４０に記録紙後端の僅かを残して回転を停止し、排紙ローラ対４０が逆転するスイッチバック機構を採り、両面搬送路４２を通ってレジストローラ対３３へ再搬送されて裏面印刷が行われる。
【００２９】
このように、定着装置を記録紙の搬送方向と略垂直方向に分割し、一方の筐体の内壁に定着装置内部の全ての構成部品を取り付けられるため、記録紙が進入・排出する安定した平面である外装面部分を作業面として置いたままで組み立てられ、作業効率を飛躍的に向上できる。しかも、図９に示すように、電子写真装置３０の記録紙搬送路を略垂直搬送路とし、加熱定着用ローラ３と加圧ローラ４が略水平方向に並置した構成により、定着装置３７の第一筐体１と第二筐体２が垂直に立った状態で電子写真装置３０に載置するために、電子写真装置３０への装脱着時の作業性、また電子写真装置３０に載置時の保管性が向上するようになる。
【００３０】
第一筐体１への第二筐体２の組み込みは、前記前フレーム６と後フレーム７の位置決めをすると共に強度を持たせるために設けられた第一筐体１のリブに、該前フレーム６と後フレーム７を差し込み、同様なリブを備えた第二筐体２を組み込む事でなされる。
【００３１】
まずサーモスタットの組み込みであるが、サーモスタットユニットは、図４に示すようにヒータ５、サーモスタット１２、ヒータへの接続線１３、コネクタへの接続線１４、第一筐体１に立設したリブに差し込んでサーモスタット１２を固定するため角部が面取りされた四角形状の固定具１５、サーモスタット１２をこの固定具１５へ固定するためのビス１６などからなる。このうちヒータ５は、図３に示したように加熱定着用ローラ３の内部に入れられて加熱定着用ローラ３を加熱し、サーモスタット１２は第一筐体１に立設したリブに固定される。そしてこのヒータ５へは、サーモスタット１２からの接続線１３経由で電力が供給され、加熱定着用ローラ３が過熱したとき、サーモスタット１２が働いて電力供給を遮断するようになっている。
【００３２】
そして第一筐体１には、図５に詳細を示したように、リブ部に固定具１５を差し込んで回転止めと抜き止めする四角ボックス部１ａ、サーモスタット１２を載置するためサーモスタット１２の外形と同じＲ形状をして設けられた載置部１ｂが形成され、四角ボックス部１ａに固定具１５を差し込んだ後、サーモスタット１２を載置部１ｂに載置してビス１６で固定具１５に固定する。但しこの固定具１５は上方には抜き取れるため、第二筐体２に、サーモスタット１２の外形と同じＲ形状をして形成したサーモスタット１２を押さえるための面２ａが設けられており、第一筐体１に第二筐体２が組み込まれたとき、この面２ａでサーモスタット１２が押さえられて固定される。
【００３３】
またコネクタ１０は、図３に示したようにこの第一筐体１に上面から取り付ける。そしてヒータへの接続線１３、コネクタへの接続線１４は、図３に示したように第一筐体１に設けられた加熱定着用ローラ３からの熱を遮る熱遮蔽面２０の背後に配線されてリブで抜け止めされ、サーモスタット１２をビス１６で固定部１５に固定するとき、端部が図４に示したようにサーモスタット１２の端子部にビス１６で固定される。そして第一筐体１に第二筐体２が組み込まれたとき、第二筐体２でこの配線部もカバーされ、外からは見えないようになる。
【００３４】
このようにしてサーモスタット１２を、第一筐体１に形成されたリブ１ａと載置部１ｂ、第二筐体２に形成された押さえ用の面２ａで固定することにより、従来のように特別な固定具を用意することなく簡単に組み込むことができる。またこの組み込みは、第一筐体１の内部に上面より定着用ローラユニットを装着した後、加熱定着用ローラ３との距離を確認しながら、また各線の配線状況を確認しながらおこなうことができ、サーモスタット１２を精度良く動作させることができると共に組立性と作業品質の確認が容易にできる。
【００３５】
なお以上の説明では、サーモスタット１２を固定する際、リブ１ａに固定具１５を差し込んだ後サーモスタット１２を載置部１ｂに載置し、その後サーモスタット１２をヒータへの接続線１３、コネクタへの接続線１４と共にビス１６で固定部１５に固定するとしたが、図４に示したようにあらかじめサーモスタット１２にヒータ５のヒータへの接続線１３とコネクタ１０への接続線１４の端子部をビス１６で固定しておき、その後サーモスタット１２の固定具１５をリブ１ａに差し込んで固定するようにしても良い。このことは、組立て作業環境に応じてフレキシブルに対応できることを示しており、コスト低減にも貢献できる。
【００３６】
また以上の説明では、サーモスタット１２のヒータへの接続線１３とコネクタへの接続線１４の接続を、ビス１６で行うサーモスタットの場合について説明したが、図６のようにヒータへの接続線１３とコネクタへの接続線１４を、接続端子１３ａ、１４ａで直接サーモスタット１２の端子部１２ｂに接続する形式のサーモスタットの場合、第一筐体１におけるリブを、ガイド空間を有する複数のリブで構成し、サーモスタット１２側の位置規制面となるツバ部１２ａを挟むように固定すると共に第二筐体２のリブにてツバ部１２ａの上面を押さえるようにすれば、図５における固定具１５を使用することなくサーモスタット１２を固定することが可能となる。そのためこの図６に示した実施例では、さらに部品点数が削減でき、低コストが実現できる。
【００３７】
つぎにサーミスタなどの温度検出センサであるが、このサーミスタ１７は図７に示したように、ビス１８の取り付け穴を有する弾性部材１７ａの先端に取り付けられている。そして第一筐体１には、前記で説明したサーモスタット１２を取り付けけるために形成したリブ部の延長上に、前記リブ部の外側である配線部側からサーミスタ１７を挿入するための角孔２１が形成されており、さらにこの角穴２１の内側のリブ部には、サーミスタ１７の両端を回転防止するリブと取り付けのためのビス部が形成された温度管理用センサ取り付け台２２が用意されている。そのためサーミスタ１７をこの角穴２１に挿入してビス１８で固定し、サーミスタへの接続線１９は、前記リブ部の外側に形成されたヒータへの接続線１３と同じ配線部に配設され、同じ第一筐体に配設する図示していない温度調整基板に接続される。
【００３８】
このようにすることで、サーミスタ１７も組み込むとき加熱定着用ローラ３との接触状態を確認できると共に、サーモスタット１２を取り付ける部材と同じ第一筐体１に上面より取り付けられるため作業性が数段向上する。さらにサーミスタ１７は直線状のものを使用するため、加熱定着用ローラ３との接触圧のバラツキがおさえられて非常に性能が安定する。
【００３９】
図８は、このサーミスタ１７の第一筐体１への取り付け構造の他の実施例であり、図７に示した実施例では、サーミスタ１７の取り付けにビス１８を用いたが、この実施例ではさらにこのビスも使わなくて済むようにしたものである。この図８における実施例では、（Ａ）に示したようにサーミスタ１７は弾性部材１７ａに取り付けられ、さらにその弾性部材１７ａは、耐熱樹脂で成形されて貫通孔を備えた取り付け部１７ｂとしたハウジングに取り付けられると共に、当たり部１７ｃ、サーミスタの接続線１７ｄとを有して構成される。そしてこのサーミスタ１７を取り付ける第一筐体１には、図８（Ｂ）に示したように、サーミスタ取り付け台１ｃ、そのサーミスタ取り付け台１ｃ上に設けられたボス１ｄ、前記当たり部１７ｃを受ける受け部１ｅが形成され、第二筐体２には、押さえボス部２ｂが設けられている。
【００４０】
そしてサーミスタ１７は、第一筐体１に設けた角穴２１から矢印Ａ方向より挿入され、サーミスタ１７の取り付け部１７ｂの貫通孔がボス部１ｄに装着される。その時当たり部１７ｃは受け部１ｅに略当接状態になり、サーミスタ１７が加熱定着用ローラに微圧接触したとき、この当たり部１７ｃが持ち上がることで取り付け部１７ｂがボス部１ｄから外れるのを防ぐ。そしてこの状態で第二筐体２における押さえボス部２ｂが、サーミスタ１７の取り付け部１７ｂの貫通孔に挿入されるよう第二筐体２を第一筐体１に組み込むことにより、サーミスタ１７はビスなどの固定用部材を何ら用いずに固定でき、部品点数を削減できると共に組立て性も向上する。
【００４１】
【発明の効果】
以上記載の如く本発明によれば、定着装置の筐体を、加熱定着用ローラ軸と略平行で、かつ、記録紙搬送方向に対して略直角の方向に第一筐体とこの第一筐体と結合する第二筐体との２つに分割可能とし、加熱定着用ローラと加圧ローラで構成される加熱ローラ対を第一筐体に収容すると共に第一筐体の開放面上に温度管理用センサ位置決め用のリブを設け、リブと第二筐体でサーモスタット及びサーミスタなどの温度管理用センサを位置固定するようにし、あわせてこのリブに熱遮蔽面を設け、その背面側に温度管理用センサの接続線を延在させるようにしたから、特別な固定用部材を用いることなく温度管理用センサと接続線を固定できる。また、温度管理用センサは開放面上に取り付けできるため加熱定着用ローラとの関係が確認しながら精度良く取り付けることができ、清掃なども簡単にできる。また特別な固定用部材を用いないことと開放面上への取り付けにより、組み立て作業は非常に簡単にできるとともに低コストの定着装置を提供でき、多大な効果をもたらすものである。
【図面の簡単な説明】
【図１】本発明における定着装置を分割して示した実施例の斜視図である。
【図２】本発明の図１における定着装置の第一筐体１、第二筐体２を組み立てた斜視図である。
【図３】本発明の定着装置におけるサーモスタットの組み込み状況の説明図である。
【図４】サーモスタットユニットの一例を示した図である。
【図５】本発明におけるサーモスタットの固定状況の説明図である。
【図６】本発明におけるサーモスタット取り付け構造の他の実施例である。
【図７】本発明におけるサーミスタの取り付け構造の説明図である。
【図８】本発明におけるサーミスタ取り付け構造の、他の実施例の説明図である。
【図９】本発明の定着装置を装着した電子写真装置の断面図である。
【符号の説明】
１    第一筐体
２    第二筐体
３    加熱定着用ローラ
４    加圧ローラ
５    ヒータ
６    前フレーム
７    後フレーム
８    分離爪
９    駆動ギア
１０    コネクタ
１１    記録紙の搬送路
１２    サーモスタット
１３    ヒータへの接続線
１４    コネクタへの接続線
１５    固定具
１６    ビス
１７    サーミスタ
１８    ビス
１９    サーミスタへの接続線
２０    熱遮蔽面
２１    角穴
２２    温度管理用センサ取り付け台
【図１】
0003576494.tif 000002
【図２】
0003576494.tif 000003
【図３】
0003576494.tif 000004
【図４】
0003576494.tif 000005
【図５】
0003576494.tif 000006
【図６】
0003576494.tif 000007
【図７】
0003576494.tif 000008
【図８】
0003576494.tif 000009
【図９】
0003576494.tif 000010